(57)【要約】【課題】単色読取時に、高速処理するために１ライン光蓄積時間だけを単に短く設定すると、読取った画素総てをＣＣＤラインセンサの外部へ送出せない。【解決手段】モノクロ（単色）での読取りが選択されたと判断すると（ＳＴ１１でのＮ）、１ライン光蓄積時間設定手段によって１ライン光蓄積時間をｔＩＮＴ（Ｋ）として設定するとともに、有効画素数を３７５０（所定数）に設定する（ＳＴ１２）。また、ＳＴ１１でカラー（複数色）での読取りが選択されたと判断すると（ＳＴ１１でのＹ）、１ライン光蓄積時間設定手段によって１ライン光蓄積時間をｔＩＮＴ（ＲＧＢ）として設定するとともに、有効画素数を７５００（所定数）に設定する（ＳＴ１３）。【選択図】        図７
2004274231.tif 000002
【特許請求の範囲】
【請求項１】
原稿に光を照射する光源と、
光電変換素子の上を覆う有色の第１乃至第ｎの色フィルタを備え各色フィルタを介して前記光源からの光情報受光可能なｎ本の第１の光電変換素子列が互いに平行に設けられるとともに、このｎ本の光電変換素子列と互いに平行に設けられ光電変換素子の上を覆い可視光全域を透過するフィルタを介してまたは光電変換素子の上を覆うフィルタを設けること無く前記光源からの光情報を光受可能な第２の光電変換素子列を有するＣＣＤセンサと、
前記第１の光電変換素子列のみで読取を行う第１の読取手段と、
前記第２の光電変換素子列のみで前記第１の読取り手段より高速で読取りを行う第２の読取手段と、
前記第１の読取手段または前記第２の読取手段で読取る際に前記第１の読取手段と前記第２の読取り手段とで異なる時間の１ライン光蓄積時間を設定する１ライン光蓄積時間設定手段と、
前記第２の読取手段によって読取る場合には、１ライン光蓄積時間と異なる読取制御因子の数値が前記有色フィルタによる光電変換素子の感度低下に基づいて前記第１の読取手段とは異なる読取制御手段とを備えたこを特徴にする画像入力装置。
【請求項２】
カラーで読取る場合は前記第１の読取手段で画像を読取り、単色で読取る場合は前記第２の読取手段で画像を読取ることを特徴にする請求項１記載の画像入力装置。
【請求項３】
原稿に光を照射する光源と、
光電変換素子の上を覆う赤色フィルタを備え赤色フィルタを介して前記光源からの光情報受光可能な赤色光電変換素子列を有する赤色光電変換素子ユニットとこの赤色光電色フィルタと平行で光電変換素子の上を覆う緑色フィルタを備え緑色フィルタを介して前記光源からの光情報受光可能な緑色光電変換素子列を有する緑色光電変換素子ユニットとこの緑色光電変換素子列と平行で光電変換素子の上を覆う青色フィルタを備え青色フィルタを介して前記光源からの光情報受光可能な青色変換素子列を有する青色光電変換素子ユニットとこの青色変換素子列と平行で光電変換素子の上を覆い可視光全域を透過するフィルタを介してまたは光電変換素子の上を覆うフィルタを設けること無く前記光源からの光情報を光受可能な単色光電変換素子列を有する単色光電変換素子ユニットを備えたＣＣＤセンサと、
前記赤色光電変換素子ユニットと前記緑色光電変換素子ユニットと前記青色光電変換素子ユニットのみで読取を行う第１の読取手段と、
前記単色光電変換素子列のみで前記第１の読取り手段より高速で読取りを行う第２の読取手段と、
前記第２の読取手段で画像を読取る場合に、１ライン光蓄積時間が有色フィルタによる光電変換素子の感度低下がないことに基づいて前記第１の読取手段で読取る場合に比べて短く設定する１ライン光蓄積時間設定手段と、
前記単色光電変換素子列の光電変換素子に蓄積された電荷を転送するための転送クロックの周期が１ライン光蓄積時間の設定時間に基づいて前記第１の読取手段で読取る場合に比べて短く設定されている転送周期設定手段とを備えたことを特徴にする画像入力装置。
【請求項４】
原稿に光を照射する光源と、
光電変換素子の上を覆う赤色フィルタを備え赤色フィルタを介して前記光源からの光情報受光可能な赤色光電変換素子列を有する赤色光電変換素子ユニットとこの赤色光電色フィルタと平行で光電変換素子の上を覆う緑色フィルタを備え緑色フィルタを介して前記光源からの光情報受光可能な緑色光電変換素子列を有する緑色光電変換素子ユニットとこの緑色光電変換素子列と平行で光電変換素子の上を覆う青色フィルタを備え青色フィルタを介して前記光源からの光情報受光可能な青色変換素子列を有する青色光電変換素子ユニットとこの青色変換素子列と平行で光電変換素子の上を覆い可視光全域を透過するフィルタを介してまたは光電変換素子の上を覆うフィルタを設けること無く前記光源からの光情報を光受可能な単色光電変換素子列を有する単色光電変換素子ユニットを備えたＣＣＤセンサと、
前記赤色光電変換素子ユニットと前記緑色光電変換素子ユニットと前記青色光電変換素子ユニットのみで読取を行う第１の読取手段と、
前記単色光電変換素子列のみで前記第１の読取り手段より高速で読取りを行う第２の読取手段と、
前記単色光電変換素子ユニットの内部にあり、単色光電変換素子で受光した光情報が通過し前記第１の読取手段で使用される各光電変換素子ユニットのそれぞれのユニットよりも多い数で前記ＣＣＤセンサの外部と接続する接続部とを特徴にする画像入力装置。
【請求項５】
前記単色光電変換ユニットはさらに奇数番目の画素の電荷を受取る第１のアナログシフトゲートレジスタと前記単色光電変換素子列の偶数番目の画素の電荷を受取る第２のアナログシフトレジスタを含み、前記接続部は前記第１のアナログシフトレジスタと前記第２のアナログシフトレジスタの一端側に接続したことを特徴にする請求項４記載の画像入力装置。
【請求項６】
前記第１のアナログシフトレジスタと前記第２のアナログシフトレジスタのそれぞれに前記接続部が前記一端側以外にもあることを特徴にする請求項５記載の画像入力装置。
【請求項７】
前記第１のアナログシフトレジスタと前記第２のアナログシフトレジスタのそれぞれ両端に前記接続部があることを特徴にする請求項６記載の画像入力装置。
【請求項８】
前記第１のアナログシフトレジスタと前記第２のアナログシフトレジスタのそれぞれのアナログシフトレジスタの中央部に前記接続部があることを特徴にする請求項６記載の画像入力装置。
【請求項９】
請求項１乃至８の何れか一記載の画像入力装置と、
この入力装置からの出力された画像信号に基づいて画像を形成する画像形成部とを備えたことを特徴にする画像形成装置。
【発明の詳細な説明】
【０００１】
【発明の属する技術分野】
本発明は、画像入力装置及び画像形成装置に関する。
【０００２】
【従来の技術】
従来カラー画像を読取る場合には３本の光電変換素子列を使用して線順次方式で読取り、単色で読取る場合にはカラーで読取るときに使用する３本の光電変換素子列と異なる光電変換素子列を使用して画像を読取るＣＣＤセンサの技術がある。また、カラーで読取る場合は、３本の光電変換素子列の上を覆うように赤色フィルタ緑色フィルタ青色フィルタが設けられている。カラーで読取る場合は、３本の光電変換素子列の上を覆うように赤色フィルタ緑色フィルタ青色フィルタが設けられており時間当たりの光情報（受光量）が低下するが、単色で読取る場合は光電変換素子列の上に前記有色フィルタを配置していないので、時間当たりの受光量の低下がないのでカラーでの読取に比べて早く読むことが出来る。
【０００３】
【特許文献１】
特開平１０―１３６１５１（図１、第１頁、第４頁）
【０００４】
【発明が解決しようとする課題】
しかしながら、読取速度は１ライン光蓄積時間で決まり、その時間内に前ラインで読取った光情報をＣＣＤセンサの外部に転送クロックのタイミングに基づいて送出している。したがって、カラーでの読取りより高速処理するために１ライン光蓄積時間だけを単に短く設定すると、１ライン光蓄積時間より１ライン総てをＣＣＤセンサの外部へ送信するのに要する時間の方が長くなり、読取った画素総てをＣＣＤラインセンサの外部へ送出せない問題がある。
【０００５】
本発明は、カラーでの読取りより単色での読取りを高速処理する際に確実に読取った画素の光情報を外部に送出すことを目的とする。
【０００６】
【課題を解決するための手段】
請求項１記載の発明は、原稿に光を照射する光源と、光電変換素子の上を覆う有色の第１乃至第ｎの色フィルタを備え各色フィルタを介して前記光源からの光情報受光可能なｎ本の第１の光電変換素子列が互いに平行に設けられるとともに、このｎ本の光電変換素子列と互いに平行に設けられ光電変換素子の上を覆い可視光全域を透過するフィルタを介してまたは光電変換素子の上を覆うフィルタを設けること無く前記光源からの光情報を光受可能な第２の光電変換素子列を有するＣＣＤセンサと、前記第１の光電変換素子列のみで読取を行う第１の読取手段と、前記第２の光電変換素子列のみで前記第１の読取り手段より高速で読取りを行う第２の読取手段と、前記第１の読取手段または前記第２の読取手段で読取る際に前記第１の読取手段と前記第２の読取り手段とで異なる時間の１ライン光蓄積時間を設定する１ライン光蓄積時間設定手段と、前記第２の読取手段によって読取る場合には、１ライン光蓄積時間と異なる読取制御因子の数値が前記有色フィルタによる光電変換素子の感度低下に基づいて前記第１の読取手段とは異なる読取制御手段とを備えたものである。
【０００７】
請求項１記載の発明によれば、１ライン蓄積時間とは異なる読取制御因子を第１の読取手段とは異なる数値を用いて制御するので、第２の読取手段で読取った場合第１の読取手段よりも高速で読取れるとともに確実に全画素をＣＣＤセンサの外部に送信させることが出来る。
【０００８】
また請求項３記載の発明は、原稿に光を照射する光源と、光電変換素子の上を覆う赤色フィルタを備え赤色フィルタを介して前記光源からの光情報受光可能な赤色光電変換素子列を有する赤色光電変換素子ユニットとこの赤色光電色フィルタと平行で光電変換素子の上を覆う緑色フィルタを備え緑色フィルタを介して前記光源からの光情報受光可能な緑色光電変換素子列を有する緑色光電変換素子ユニットとこの緑色光電変換素子列と平行で光電変換素子の上を覆う青色フィルタを備え青色フィルタを介して前記光源からの光情報受光可能な青色変換素子列を有する青色光電変換素子ユニットとこの青色変換素子列と平行で光電変換素子の上を覆い可視光全域を透過するフィルタを介してまたは光電変換素子の上を覆うフィルタを設けること無く前記光源からの光情報を光受可能な単色光電変換素子列を有する単色光電変換素子ユニットを備えたＣＣＤセンサと、前記赤色光電変換素子ユニットと前記緑色光電変換素子ユニットと前記青色光電変換素子ユニットのみで読取を行う第１の読取手段と、前記単色光電変換素子列のみで前記第１の読取り手段より高速で読取りを行う第２の読取手段と、前記第２の読取手段で画像を読取る場合に、１ライン光蓄積時間が有色フィルタによる光電変換素子の感度低下がないことに基づいて前記第１の読取手段で読取る場合に比べて短く設定する１ライン光蓄積時間設定手段と、前記単色光電変換素子列の光電変換素子に蓄積された電荷を転送するための転送クロックの周期が１ライン光蓄積時間の設定時間に基づいて前記第１の読取手段で読取る場合に比べて短く設定されている転送周期設定手段とを備えたものである。
【０００９】
請求項３記載の発明によれば、転送クロックの周期を第１の読取手段で読取る場合より短くしているので、第２の読取手段で読取った場合第１の読取手段よりも高速で読取れるとともに確実に全画素をＣＣＤセンサの外部に送信させることが出来る。
【００１０】
さらに請求項４記載の発明は、原稿に光を照射する光源と、光電変換素子の上を覆う赤色フィルタを備え赤色フィルタを介して前記光源からの光情報受光可能な赤色光電変換素子列を有する赤色光電変換素子ユニットとこの赤色光電色フィルタと平行で光電変換素子の上を覆う緑色フィルタを備え緑色フィルタを介して前記光源からの光情報受光可能な緑色光電変換素子列を有する緑色光電変換素子ユニットとこの緑色光電変換素子列と平行で光電変換素子の上を覆う青色フィルタを備え青色フィルタを介して前記光源からの光情報受光可能な青色変換素子列を有する青色光電変換素子ユニットとこの青色変換素子列と平行で光電変換素子の上を覆い可視光全域を透過するフィルタを介してまたは光電変換素子の上を覆うフィルタを設けること無く前記光源からの光情報を光受可能な単色光電変換素子列を有する単色光電変換素子ユニットを備えたＣＣＤセンサと、前記赤色光電変換素子ユニットと前記緑色光電変換素子ユニットと前記青色光電変換素子ユニットのみで読取を行う第１の読取手段と、前記単色光電変換素子列のみで前記第１の読取り手段より高速で読取りを行う第２の読取手段と、前記単色光電変換素子ユニットの内部にあり、単色光電変換素子で受光した光情報が通過し前記第１の読取手段で使用される各光電変換素子ユニットのそれぞれのユニットよりも多い数で前記ＣＣＤセンサの外部と接続する接続部とを備えたものである。
【００１１】
請求項４記載の発明によれば、単色光電変換素子ユニットの接続部は他のユニットより多くの数でＣＣＤセンサの外部とつながっているので、第２の読取手段で読取った場合第１の読取手段よりも高速で読取れるとともに確実に全画素をＣＣＤセンサの外部に送信させることが出来る。
【００１２】
【発明の実施の形態】
（第１の実施の形態）
【００１３】
以下に本発明の第１の実施の形態を図１乃至図４に基づいて説明をする。図１は画像入力装置の例としてのスキャナの電気的ブロック図を示す。図２は図１で示されたＣＣＤセンサの内部回路を詳細に説明をした図を示す。図３はＣＣＤセンサの読取りタイミングを示す図を示す。図４は本第１の実施の形態のフローチャートを示す図である。
【００１４】
先ず、図１に示したスキャナの電気的ブロック図について説明をする。スキャナ全体の制御を司るＣＰＵ（中央処理装置）１０１。このＣＰＵ１０１はスキャナの制御内容を記憶したＲＯＭ（リード・オンリー・メモリ）１０２、ＣＰＵ１０１によって種々のデータを一時的に記憶するＲＡＭ（ランダム・アクセス・メモリ）１０２がバスライン１０４を介して接続している。また、ＣＰＵ１０１は、原稿から反射されてきた光情報を受光するＣＣＤセンサ（チャージ・カップルド・デバイス・センサ）１１０を制御するＣＣＤセンサ制御回路１６０と、原稿に光を照射する例えばキセノン光源である光源１７１を制御する光源制御回路１７２と、光源１７１を搭載した図示していないキャリアを移動させるモータ１７３を制御するモータ制御回路１７４と、シェーディング補正やガンマ補正などのデータを記憶している画像補正部１７５と、ＣＣＤセンサ１１０から入力されたデータに対して拡大縮小処理や解像度変換などの画像処理を行う画像処理部１７６をバス１０４を介して接続している。さらにＣＰＵ１０１は、原稿読取り条件の設定画面などが表示される表示器１８１を制御する表示器制御回路１８２と、原稿読取り条件として第１の読取手段によってカラー（複数色）として読取るかあるいは第２の読取手段によってモノクロ（単色）として読取るかを選択する選択釦１８３ａと読取り開始を指示する読取開始釦１８３ｂを含みその他解像度設定などの各種釦を備えているキーパネル１８３を制御するキーパネル制御回路１８４と、画像処理部で処理したデータ等を外部へ送出すとともに外部からの指示情報等を受取るインターフェース１７７などがバス１０４を介して接続されている。
【００１５】
次にＣＣＤセンサ１１０の内部構成について図２を用いて詳細に説明をする。ＣＣＤセンサ１１０は赤色光電変換素子ユニット１２０、緑色光電変換素子ユニット１３０、青色光電変換素子ユニット１４０、単色光電変換素子ユニット１５０の大きく４つのユニットから構成されている。
【００１６】
赤色光電変換素子ユニット１２０と緑色光電変換素子ユニット１３０と青色光電素子ユニット１４０は原稿をカラーで読取るときに同時に使用し、第１の光電変換素子列を構成するユニットでもある。また、単色光電変換素子ユニット１５０は原稿をモノクロで読取る時に使用し、第１の光電変換素子列を構成するユニットでもある。
【００１７】
赤色光電変換素子ユニット１２０を詳細に説明をする。この赤色光電変換素子ユニット１２０はカラー原稿を読取る時に原稿上の赤色の文字または画像を読取れないユニットである。この赤色光電変換素子ユニット１２０はフォトダイオードである光電変換素子が直線状に例えば有効画素領域として７５００個配列され、各光電変換素子の上を赤色のフィルタで覆っている第１の光電変換素子列でもある赤色光電変換素子列１２１と、この赤色光電変換素子列１２１の長手方向と直交する方向に隣接し、赤色光電変換素子列１２１の各光電変換素子に蓄電した電荷を漏れ出さないようにする赤色シフトゲート１２２と、この赤色シフトゲート１２２の長手方向と直交する方向に隣接し各赤色光電変換素子で蓄電された電荷を赤色シフトゲート１２２を介して受取る赤色アナログシフトレジスタ１２３を備えている。また、赤色シフトゲート１２２の一端側にはＣＣＤ制御回路１６０から送信され画像読取の１ラインの光蓄積時間ｔＩＮＴ（ＲＧＢ）を定義するシフト信号（ＳＨ信号）を受け入れる入力部を備えている。また赤色アナログシフトレジスタ１２３の一端側にもＣＣＤ制御回路１６０から送られ各赤色光電変換素子の一画素分の電荷をＣＣＤ制御回路１６０へ転送するための第１の転送クロック信号（転送ＣＬＫ１）及び第２の転送クロック信号（転送ＣＬＫ２）を受け入れる入力部を備えている。赤色アナログシフトレジスタ１２３の他端側には各赤色光電変換素子で受光し蓄電された電荷の情報をＣＣＤ制御回路１６０へ転送するための出力部（接続部）１２３ｂが設けられている。
【００１８】
次に緑色光電変換素子ユニット１３０について説明をする。赤色光電変換素子ユニット１２０と同様な部分は説明を省略する。緑色光電変換素子ユニット１３０はカラー原稿を読取る時に原稿上の緑色の文字または画像を読取れないユニットである。この緑色光電変換素子ユニット１３０は光電変換素子が直線状に有効画素領域として７５００個配列され、各光電変換素子の上を緑色のフィルタで覆っている第１の光電変換素子列でもある緑色光電変換素子列１３１と、この緑色光電変換素子列１３１の長手方向と直交する方向に隣接し、緑色光電変換素子列１３１の各光電変換素子に蓄電した電荷を漏れ出さないようにする緑色シフトゲート１３２と、この緑色シフトゲート１３２の長手方向と直交する方向に隣接し各緑色光電変換素子で蓄電された電荷を緑色シフトゲート１３２を介して受取る緑色アナログシフトレジスタ１３３を備えている。また、緑色シフトゲート１３２の一端側にはＳＨ信号を受け入れる入力部を有している。また、緑色アナログシフトレジスタ１３３の一端側にも転送ＣＬＫを受け入れる入力部を備えている。緑色アナログシフトレジスタ１３３の他端側にはＣＣＤ制御回路１６０へ電荷の情報を送信するための出力部（接続部）１３３ｂを備えている。
【００１９】
次に青色光電変換素子ユニット１４０について説明をする。赤色光電変換素子ユニット１２０と同様な部分は説明を省略する。青色光電変換素子ユニット１４０はカラー原稿を読取る時に原稿上の青色の文字または画像を読取れないユニットである。この青色光電変換素子ユニット１４０は光電変換素子が直線状に有効画素領域として７５００個配列され、各光電変換素子の上を青色のフィルタで覆っている第１の光電変換素子列でもある青色光電変換素子列１４１と、この青色光電変換素子列１４１の長手方向と直交する方向に隣接し、青色光電変換素子列１４１の各光電変換素子に蓄電した電荷を漏れ出さないようにする青色シフトゲート１４２と、この青色シフトゲート１４２の長手方向と直交する方向に隣接し各青色光電変換素子で蓄電された電荷を青色シフトゲート１４２を介して受取る青色アナログシフトレジスタ１４３を備えている。また、青色シフトゲート１４２の一端側にはＳＨ信号を受け入れる入力部を有している。また、青色アナログシフトレジスタ１４３の一端側にも転送ＣＬＫを受け入れる入力部を備えている。青色アナログシフトレジスタ１４３の他端側にはＣＣＤ制御回路１６０へ電荷の情報を送信するための出力部（接続部）１４３ｂを備えている。
【００２０】
さらに単色光電変換素子ユニット１５０について詳細に説明をする。赤色光電変換素子ユニット１２０と同様な部分は説明を省略する。この単色光電変換素子ユニット１５０は光電変換素子が直線状に有効画素領域として７５００個配列され、各光電変換素子の上を無色透明のフィルタで覆っている第２の光電変換素子列でもある単色光電変換素子列１５１と、この単色光電変換素子列１５１の長手方向と直交する方向に隣接し、単色光電変換素子列１５１の各光電変換素子に蓄電した電荷を漏れ出さないようにする単色シフトゲート１５２と、この単色シフトゲート１５２の長手方向と直交する方向に隣接し各単色光電変換素子で蓄電された電荷を単色シフトゲート１５２を介して受取る単色アナログシフトレジスタ１５３を備えている。また、単色シフトゲート１５２の一端側にはＣＣＤ制御回路１６０から送信され画像読取の１ライン光蓄積時間ｔＩＮＴ（Ｋ）を定義するシフト信号（ＳＨ信号）を受け入れる入力部を有している。また、単色アナログシフトレジスタ１５３の一端側にも転送ＣＬＫを受け入れる入力部を備えている。単色アナログシフトレジスタ１５３の他端側にはＣＣＤ制御回路１６０へ電荷の情報を送信するための出力部（接続部）１５３ｂを備えている。尚、本第１の実施の形態では無色透明なフィルタを用いているが、このフィルタ自体を設けなくともよい。また、単色光電変換素子ユニット１５０は主として黒色の文字および画像の読取りに用いるので単色を黒色と置き換えてもよい。
【００２１】
尚、赤色光電変換素子列１２１と緑色光電変換素子列１３１と青色光電変換素子列１４１と単色光電変換素子列１５１の両端は一致させて同一平面上に設けられている。すなわち各光電変換素子列は互いに他の光電変換素子列の長手方向と直交方向に平行の位置関係で配列されている。
【００２２】
次に図３を用いて、第２の読取手段である単色光電変換素子ユニット１５０を用いた場合の１ライン光蓄積時間と各画素を転送する転送クロックのタイミングと、第１の読取手段である赤色光電変換素子ユニットと緑色光電変換素子ユニットと青色光電変換素子ユニットのみを用いた場合の１ライン光蓄積時間と各画素を転送する転送クロックのタイミングについて説明をする。
【００２３】
図３では横軸は時間を示している。また、図３では上３つに示したＳＨ信号、転送ＣＬＫ１、転送ＣＬＫ２は単色読取時の読取タイミングを示し、下３つに示したＳＨ信号、転送ＣＬＫ１、転送ＣＬＫ２は赤色光電変換素子ユニット１２０と緑色光電変換素子ユニット１３０と青色光電変換素子ユニット１４０のみを用いた場合のカラー読取時の読取タイミングを示している。図３においては赤色光電変換素子ユニット１２０と緑色光電変換素子ユニット１３０と青色光電変換素子ユニット１４０による読取りは１ラインしか読込みを行っていない間に、単色光電変換素子ユニットによる読取は２ライン読込みを行っているタイミングを示しており、本第１の実施の形態では単色光電変換素子ユニット１５０を用いて読取った場合、有色フィルタを用いた場合に比べて高速で読取が出来る入力装置であることを示している。
【００２４】
最初に赤色光電変換素子ユニット１２０と緑色変換素子ユニット１３０と青色光電変換素子ユニット１４０とを同時に利用した読取タイミングについて説明をする。どの光電変換素子ユニットを用いても同じなため、代表として赤色光電変換素子ユニットを用いて説明をする。
【００２５】
先ずＳＨ信号が「Ｈ」になると赤色シフトゲート１２２が開き、赤色光電変換素子列１２１のそれぞれの素子に蓄積された電荷が赤色シフトゲート１２２を介して赤色アナログシフトレジスタ１２３に転送される。このとき転送ＣＬＫ１は停止している。ＳＨ信号が「Ｌ」になると赤色シフトゲート１２３が閉じるので、赤色光電変換素子列１２１のそれぞれの素子に蓄積された電荷の転送動作が終了し、電荷が光電変換素子から漏れ出さないようにし、再び光電変換素子にて電荷の蓄積動作を始める。また、ＳＨ信号が「Ｌ」になり所定に時間経過後に転送ＣＬＫ１及び転送ＣＬＫ２の駆動が始まる。転送ＣＬＫ１及び転送ＣＬＫ２の周期は同一であり、「Ｈ」と「Ｌ」のタイミングが逆になっている。つまり、転送ＣＬＫ１及び転送ＣＬＫ２の周期はともにｔｏ（ＲＧＢ）であり、転送ＣＬＫ１が「Ｌ」から「Ｈ」に立上るときに転送ＣＬＫ２が「Ｈ」から「Ｌ」に立下り、転送ＣＬＫ１が「Ｈ」から「Ｌ」に立下るときに転送ＣＬＫ２が「Ｌ」から「Ｈ」に立上る。転送ＣＬＫ１及び転送ＣＬＫ２の周期及びクロックの変化のタイミングが共通であるため以降の説明においては転送ＣＬＫ１及び転送ＣＬＫ２をまとめて転送ＣＬＫと称する。
【００２６】
この転送ＣＬＫの周期ｔｏ（ＲＧＢ）によって、赤色シフトレジスタ１２３に赤色光電変換素子列１２１から転送されてきた電荷は光電変換素子の画素単位でＣＣＤセンサ１１０の外部に転送されていく。転送ＣＬＫは多くは有効画素をＣＣＤセンサ１１０の外部に転送させるために使用されるが、有効画素だけをＣＣＤセンサ１１０の外部に転送させるのではなく読取り１ラインあたりは次のように使用される。ＳＨ信号が「Ｈ」から「Ｌ」に立下った後に所定のクロック数は空送りとして使用し、その後赤色光電変換素子列の表面にシールドされた画素のデータを転送するために所定クロック数使用し、さらに所定クロック数ダミー画素部分を転送するために使用した後に、有効画素領域として例えば７５００画素分（７５００クロック数）の転送を行う。また、有効画素領域の画素を送信し終えた後は、所定クロック数ダミー画素部分を転送するのに使用した後に、所定クロック数空送りとして使用して１ラインあたりの転送クロックの役目を終える。その後ＳＨ信号が再び「Ｌ」から「Ｈ」に立上り赤色光電変換素子で蓄電された電荷が赤色シフトゲート１２２を介して赤色アナログシフトレジスタ１２３に転送される。ＳＨ信号の周期が１ライン光蓄積時間ｔＩＮＴ（ＲＧＢ）となる。
【００２７】
例えば赤色アナログシフトレジスタ１２３に転送された電荷を画素単位で転送する場合、転送ＣＬＫの周波数を２０ＭＨｚ、有効画素数を７５００画素とすれば赤色アナログシフトレジスタ１２３にある１ライン分の総ての画素の電荷をＣＣＤ制御回路１６０へ出力するのは３７５μｓが必要である。実際には先にも説明したように転送ＣＬＫは有効画素数のほかに空送り部分と光シールド部分とダミー画素部分を含むので、転送ＣＬＫはこれらの部分も含め１ライン分辺り８０００画素分をして設定している。したがって１ライン分総ての画素の電荷をＣＣＤ制御回路１６０へ出力するのは４００μｓの時間を要する。この時間に基づいて１ライン分の光蓄積時間ｔ（ＲＧＢ）を設定している。
【００２８】
次に、単色光電変換素子ユニット利用した読取タイミングについて説明をする。赤色光電変換素子ユニットで説明した部分については説明を省略し、異なる部分のみ説明を行う。転送ＣＬＫの周期が赤色単色光電変換ユニットで読取る場合の周期ｔ０（ＲＧＢ）と異なりｔ０（Ｋ）を用いる点が異なる。ｔ０（ＲＧＢ）と比較してｔ０（Ｋ）の周期の方が短く、これは第１の光電変換素子列の上を覆っている有色フィルタによる感度低下の影響がないことに基づいて周期が決められている。
【００２９】
単色光電変換素子ユニット１５０と例えば赤色光電変換素子ユニット１２０を比較した場合、同一条件であって赤色光電変換素子列１２１の各光電変換素子の上を覆っている赤色フィルタによって赤色アナログシフトレジスタ１２３からの光情報の方が単色アナログシフトレジスタ１５３からの光情報に比べ出力が低下する。他の青色フィルタや緑色フィルタを備えている場合も同様である。このことより同一条件では単色光電変換素子列１５１からの出力は他の有色フィルタを備えているどの第１の光電変換素子列からの出力よりも大きいことがいえる。すなわち同一条件では単色光電変換素子ユニット１５０で得られた出力信号の振幅は他の有色フィルタを備えているどの光電変換素子ユニットから得られる出力信号の振幅よりも大きいことがいえる。例えば有色フィルタによって光電変換素子の感度が半分に低減されるのであれば、ＳＨ信号の周期である単色光電変換ユニットを用いて読取った１ライン光蓄積時間ｔＩＮＴ（Ｋ）を有色フィルタを備えた光電変換素子ユニットを用いて読取った場合の１ライン光蓄積時間ｔＩＮＴ（ＲＧＢ）の半分にするように調整すれば単色光電変換素子ユニットからの出力と第１の光電変換素子列ユニットからの振幅は同一になり、異なる光電変換素子ユニットで読取った差異を吸収できることになる。本来であれば各色毎に感度の低減が異なると考えられるのでそれぞれについて調整を行うのが望ましいが、色フィルタの有無と比較して色の違いによる感度の低下の差が微小である。また、ＳＨ信号の周期である単色光電変換素子ユニット１５０の１ライン光蓄積時間ｔＩＮＴ（Ｋ）を有色フィルタを備えた１ライン光蓄積時間ｔＩＮＴ（ＲＧＢ）の半分にしたことにあわせ、光電変換素子で蓄積された電荷をＣＣＤセンサ１１０から外部に転送させる転送ＣＬＫの周期も半分に短くしている。すなわち、単色光電変換素子ユニット１５０を用いて読取を行う場合、有色フィルタを備えた光電変換素子列を用いて行わせる場合の転送ＣＬＫの周期と１ライン光蓄積時間に１未満の同率倍数をかけた時間を使用する。このように本第１の実施の形態における読取制御因子は転送ＣＬＫの周期であり、読取制御因子の数値は転送ＣＬＫの周期時間を意味している。
【００３０】
本第１の実施の形態の場合周期ｔ０（ＲＧＢ）に有効画素数を掛け合わせると、単色で読取りをさせる場合の１ライン光蓄積時間ｔＩＮＴ（Ｋ）よりも長い時間を要しているので、単色で画像を読取るときに単にカラーで読取る時の転送ＣＬＫ周期ｔ０（ＲＧＢ）と同じ周期を用いると全有効画素をＣＣＤセンサ１１０の外部に転送することが出来ないこととなる。
【００３１】
次に図４のフローチャートを用いて本第１の実施の形態を説明する。画像入力装置１００に備えられているパネル１８３中にある選択手段である選択釦１８３ａが押下されたか否かを判断するとともに押下された選択釦１８３ａがカラーでの読取り否かを判断する（ステップ１：以降ＳＴ１と略する）。このＳＴ１でモノクロ（単色）での読取りすなわち第２の読取手段での読取りが選択されたと判断すると（ＳＴ１でのＮ）、転送周期設定手段により転送ＣＬＫの周期を単色光電変換読取ユニット１５０で読取る場合の周期をｔ０（Ｋ）として設定し、１ライン光蓄積時間設定手段によってＳＨ信号の周期でもある１ライン光蓄積時間をｔＩＮＴ（Ｋ）として設定する（ＳＴ２）。また、ＳＴ１でカラー（複数色）での読取りすなわち第１の読取手段での読取りが選択されたと判断すると（ＳＴ１でのＹ）、転送周期設定手段により転送ＣＬＫの周期を有色フィルタを備えた光電変換素子ユニットで読取る場合の周期をｔ０（ＲＧＢ）として設定し、１ライン光蓄積時間設定手段によってＳＨ信号の周期でもある１ライン光蓄積時間をｔＩＮＴ（ＲＧＢ）として設定する（ＳＴ３）。次にオペレータによってパネル１８３に設けられている読取開始釦１８３ｂが押下されたと判断されたことに起因してモータ制御回路１７４にモータ１７５の駆動を開始するように指示をする。このときモノクロとカラーとでは読取制御手段によって１ラインあたりの処理時間すなわち１ライン光蓄積時間が異なっているので、それぞれにあわせたモータの回転制御を行う（ＳＴ４）。モータの回転が一定速度になったならば、ＳＴ２またはＳＴ３で設定された光蓄積時間での周期で各ラインの読取りを開始するとともにＳＴ２またはＳＴ３で設定された転送ＣＬＫ周期で転送される（ＳＴ５）。１ライン読取終了後のタイミングで全ライン読取終了か否かを判断する（ＳＴ６）。全ライン読取が終了していない（ＳＴ６でのＮ）ならばＳＴ５へ戻り、読取が終了している（ＳＴ６でのＹ）ならば読取処理を終了する。
【００３２】
本第１の実施の形態では、単色の転送ＣＬＫの周期が有色フィルタの感度低下に基づいてカラー転送ＣＬＫの周期より短く設定されていることにより、１ライン蓄積時間が短く設定されていても確実に前ライン全画素の電荷情報をＣＣＤセンサ制御回路に転送することが出来る。
【００３３】
本第１の実施の形態により、ＣＣＤ制御回路部１６０に送られてくるデータはすでに有色フィルタの影響を除去されているので、ＣＣＤ制御回路部１６０にて読取られたライン毎のデータの調整処理をすること無く画像処理部１７５に送ることが出来る。
【００３４】
尚、選択手段を画像入力装置に備えられている選択釦としたがこれに限定されず、選択手段は、インターフェースを介して外部から送られてくる信号であっても、画像入力装置内で一度ＣＣＤを駆動して画像を読取り得たデータよりカラーかモノクロかの判断をするようにしてもよい。
【００３５】
（第２の実施の形態）
【００３６】
次に第２の実施の形態について説明をする。画像入力装置の電気的ブロック図は第１の実施の形態と同様であるので説明を省略する。図５は本第２の実施の形態におけるＣＣＤセンサの内部回路の一部を詳細に説明をした図を示す。図６は本第２の実施の形態におけるＣＣＤセンサの読取りタイミングを示す図を示す。図７は本第２の実施の形態のフローチャートを示す図である。
【００３７】
ＣＣＤセンサ１１０は赤色光電変換素子ユニット１２０、緑色光電変換素子ユニット１３０、青色光電変換素子ユニット１４０、単色光電変換素子ユニット１５０の大きく４つのユニットから構成されている。赤色光電変換素子ユニット１２０、緑色光電変換素子ユニット１３０、青色光電変換素子ユニット１４０は第１の実施の形態と同様であるので説明を省略する。
【００３８】
単色光電変換素子ユニット１５０は光電変換素子が直線状に有効画素領域として７５００個配列され、各光電変換素子の上を無色透明のフィルタで覆っている第２の光電変換素子列でもある単色光電変換素子列１５１と、この単色光電変換素子列１５１の奇数番目素子に蓄電された電荷を受取る第１の単色アナログシフトレジスタである単色奇数用アナログシフトレジスタ１５７と、単色光電変換素子列１５１の偶数番目素子に蓄電された電荷を受取る第２の単色アナログシフトレジスタである単色偶数用アナログシフトレジスタ１５８と、単色光電変換素子列１５１にの長手方向と直交する方向に隣接し単色光電変換素子列１５１の奇数番目の画素に蓄電された電荷を単色奇数用アナログシフトレジスタ１５７に転送するとともに単色光電変換素子列１５１の奇数番目の画素に蓄電された電荷を漏れ出さないようにする第１の単色シフトゲートである単色奇数用シフトゲート１５５と、単色光電変換素子列１５１の長手方向と直交する方向に隣接し単色光電変換素子列１５１の偶数番目の画素に蓄電された電荷を単色偶数用アナログシフトレジスタ１５８に転送するとともに単色光電変換素子列１５１の偶数番目の画素に蓄電された電荷を漏れ出さないようにする第２の単色シフトゲートである単色偶数用シフトゲート１５６とを備えている。また、単色奇数用シフトゲート１５５の一端側にはＳＨ信号を受け入れる入力部１５５ａ、単色偶数用シフトゲート１５６の一端側にはＳＨ信号を受け入れる入力部１５６ａを有している。また、単色奇数用アナログシフトレジスタ１５７の一端側にも転送ＣＬＫを受け入れる入力部１５７ａ、単色偶数用アナログシフトレジスタ１５８の一端側にも転送ＣＬＫを受け入れる入力部１５８ａを備えている。さらに、単色奇数用アナログシフトレジスタ１５７の他端側にはＣＣＤ制御回路１６０へ電荷の情報を送信するための出力部（接続部）１５７ｂ及び単色偶数用アナログシフトレジスタ１５８の他端側にはＣＣＤ制御回路１６０へ電荷の情報を送信するための出力部（接続部）１５８ｂを備えている。
【００３９】
このように本第２の実施の形態における読取制御因子は単色アナログシフトレジスタの出力部（接続部）であり、読取制御因子の数値は単色アナログシフトレジスタ出力部の数（接続部の数）を意味している。また、本第２の実施の形態における読取制御因子は転送ＣＬＫでもあり、読取制御因子の数値は転送ＣＬＫの入力部の数を意味している。
【００４０】
次に図６を用いて、第２の読取手段である単色光電変換素子ユニット１５０を用いた場合の１ライン光蓄積時間と各画素を転送クロックのタイミングについて説明をする。本第２の実施の形態においても有色フィルタによって感度が半分に低減されることを前提に説明をする。
【００４１】
図６の横軸は図３と同様に時間軸を示し、図６に示す時間内に単色光電変換素子ユニット１５０では２ライン分読取り可能であることを示している。尚、カラー読取時に用いる赤色光電変換素子ユニット１２０、緑色光電変換素子ユニット１３０及び青色変換素子ユニット１４０は第１の実施の形態と同様のため説明を省略する。
【００４２】
ＳＨ信号が「Ｈ」になると単色奇数用シフトゲート１５５及び単色偶数用シフトゲート１５６が開き、単色光電変換素子ユニット１５０を用いた場合の単色光電変換素子列１５１の奇数番目画素に蓄積された電荷が単色奇数用シフトゲート１５５を介して単色奇数用アナログシフトレジスタ１５７に転送される。また、単色偶数用シフトゲート１５６を介して単色偶数用アナログシフトレジスタ１５８に転送される。このとき転送ＣＬＫは停止している。
【００４３】
ＳＨ信号が「Ｌ」になると単色奇数用シフトゲート１５５及び単色偶数用シフトゲート１５６が閉じるので、単色光電変換素子列１５１の奇数番目及び偶数番目のそれぞれの素子に蓄積された電荷の転送動作が終了し、電荷が光電変換素子から漏れ出さないようにし、再び光電変換素子にて電荷の蓄積動作を始める。また、ＳＨ信号が「Ｌ」になり所定に時間経過後に転送ＣＬＫ１及び転送ＣＬＫ２の駆動が始まる。転送ＣＬＫの周期は同一であり、「Ｈ」と「Ｌ」のタイミングが逆になっている。つまり、転送ＣＬＫ１及び転送ＣＬＫ２の周期は同一であり、転送ＣＬＫ１が「Ｌ」から「Ｈ」に立上るときに転送ＣＬＫ２が「Ｈ」から「Ｌ」に立下り、転送ＣＬＫ１が「Ｈ」から「Ｌ」に立下るときに転送ＣＬＫ２が「Ｌ」から「Ｈ」に立上る。転送ＣＬＫ１及び転送ＣＬＫ２の周期及びクロックの変化のタイミングが共通であるため第２の実施の形態の以降の説明においては転送ＣＬＫ１及び転送ＣＬＫ２をまとめて転送ＣＬＫと称する。
【００４４】
この転送ＣＬＫの周期によって、単色奇数用シフトレジスタ１５７及び単色偶数用アナログシフトレジスタ１５８に単色光電変換素子列１５１から転送されてきた電荷は光電変換素子の画素単位でＣＣＤセンサ１１０の外部に転送されていく。転送ＣＬＫは多くは有効画素をＣＣＤセンサ１１０の外部に転送させるために使用されるが、有効画素だけをＣＣＤセンサ１１０の外部に転送させるのではなく読取り１ラインあたりは次のように使用される。ＳＨ信号が「Ｈ」から「Ｌ」に立下った後に所定のクロック数は空送りとして使用し、その後赤色光電変換素子列の表面にシールドされた画素のデータを転送するために所定クロック数使用し、さらに所定クロック数ダミー画素部分を転送するために所定クロック数使用した後に、有効画素領域の画素の電荷の転送を行う。また、有効画素領域の画素を送信し終えた後は、所定クロック数ダミー画素部分を転送するのに使用した後に、所定クロック数空送りとして使用して１ラインあたりの転送クロックの役目を終える。その後ＳＨ信号が再び「Ｌ」から「Ｈ」に立ち上り単色光電変換素子で蓄電された電荷が単色奇数用シフトゲート１５５及び単色偶数用シフトゲート１５６を介して単色奇数用アナログシフトレジスタ１５７８及び単色偶数用アナログシフトレジスタ１５８に転送される。
【００４５】
第２の実施の形態での有効画素領域の画素数も７５００画素と仮定した場合、単色奇数用アナログシフトレジスタ１５７の出力部１５７ｂ及び単色偶数用アナログシフトレジスタ１５８の出力部１５８ｂそれぞれから３７５０画素分の電荷情報がＣＣＤセンサ制御回路に転送される。このとき単色奇数用アナログシフトレジスタ１５７の出力部１５７ｂからは有効画素の第１番目の画素、第３番目の画素、第５番目の画素・・・第７４９９番目の画素の３７５０画素分が転送され、単色アナログシフトレジスタ１５８の出力部１５８ｂからは第２番目の画素、第４番目の画素、第６番目の画素・・・第７５００番目の画素の３７５０画素分が転送される。出力タイミングは単色奇数用アナログシフトレジスタ１５７の出力部１５７ｂから第１番目の画素の電荷情報がＣＣＤセンサ制御回路１６０に転送されるのと同時に単色偶数用アナログシフトレジスタ１５８の出力部１５８ｂから第２番目の画素の電荷情報がＣＣＤセンサ制御回路１６０に転送される。以下同様に例えば第３番目の画素と第４番目の画素が同時であり、例えば第７４９９番目の画素と第７５００番目の画素が同時にＣＣＤセンサ制御回路１６０に転送される。単色奇数用アナログシフトレジスタの出力部１５７ｂ及び単色偶数用アナログシフトレジスタの出力部１５８ｂから出力される対象画素の順番は小さな序数からＣＣＤセンサ制御回路に転送される。
【００４６】
本第２の実施の形態では転送ＣＬＫの周期は有色フィルタによる感度低下に基づいては設定されておらず、カラー読取時の転送ＣＬＫの周期と同一で制御している。この点が第１の実施の形態と異なる。
【００４７】
次に図７のフローチャートを用いて本第２の実施の形態を説明する。第１の実施の形態で説明した部分と同一の部分は説明を簡略化する。選択釦１８３ａが押下されたか否かを判断するとともに押下された選択釦１８３ａがカラーでの読取り否かを判断する（ＳＴ１１）。このＳＴ１１でモノクロ（単色）での読取りが選択されたと判断すると（ＳＴ１１でのＮ）、１ライン光蓄積時間設定手段によって１ライン光蓄積時間をｔＩＮＴ（Ｋ）として設定するとともに、有効画素数を３７５０（所定数）に設定する（ＳＴ１２）。また、ＳＴ１１でカラー（複数色）での読取りが選択されたと判断すると（ＳＴ１１でのＹ）、１ライン光蓄積時間設定手段によって１ライン光蓄積時間をｔＩＮＴ（ＲＧＢ）として設定するとともに、有効画素数を７５００（所定数）に設定する（ＳＴ１３）。次に読取開始釦１８３ｂが押下されたと判断されたことに起因してモータ制御回路１７４にモータ１７５の駆動を開始するように指示をする。このときモノクロとカラーとでは読取制御手段によって１ラインあたりの処理時間すなわち１ライン光蓄積時間が異なっているので、それぞれにあわせたモータの回転制御を行う（ＳＴ１４）。モータの回転が一定速度になった後に、ＳＴ１２またはＳＴ１３で設定された光蓄積時間での周期で各ラインの読取りを開始する。（ＳＴ１５）。１ライン読取終了後のタイミングで全ライン読取終了か否かを判断する（ＳＴ１６）。全ライン読取が終了していない（ＳＴ１６でのＮ）ならばＳＴ１５へ戻り、読取が終了している（ＳＴ１６でのＹ）ならば読取処理を終了する。
【００４８】
本第２の実施の形態では、カラー読取時に用いる光電変換素子ユニットではアナログシフトレジスタ及び当該アナログシフトレジスタから出力される出力部が一つであるのに対して、単色光電変換素子ユニット１５０は複数のアナログシフトレジスタ（単色奇数用アナログシフトレジスタ１５７及び単色偶数用アナログシフトレジスタ１５８）を有するとともに当該アナログシフトレジスタからそれぞれ電荷の情報を出力させるので、転送クロックの周期がカラー読取の場合と同一であってもカラー読取よりモノクロ読取の方が高速で読取可能になるとともに確実に前ライン全画素の電荷情報をＣＣＤセンサ制御回路に転送することが出来る。
【００４９】
（第３の実施の形態）
【００５０】
次に第３の実施の形態について説明をする。画像入力装置の電気的ブロック図は第１の実施の形態と同様であるので説明を省略する。図８は本第３の実施の形態におけるＣＣＤセンサの内部回路の一部を詳細に説明をした図を示す。
【００５１】
ＣＣＤセンサ１１０は赤色光電変換素子ユニット１２０、緑色光電変換素子ユニット１３０、青色光電変換素子ユニット１４０、単色光電変換素子ユニット１５０の大きく４つのユニットから構成されている。赤色光電変換素子ユニット１２０、緑色光電変換素子ユニット１３０、青色光電変換素子ユニット１４０は第１の実施の形態と同様であるので説明を省略する。
【００５２】
図８は単色光電変換素子ユニット１５０の詳細回路図である。図８において第２の実施の形態の図５と同一の部分については同一符号を付して説明を省略する。第２の実施の形態と異なる部分は、単色奇数用アナログシフトレジスタ１５７及び単色偶数用アナログシフトレジスタ１５８からの出力部が二つ備えている点である。すなわち、単色奇数用アナログシフトレジスタ１５７の他端側にはＣＣＤ制御回路１６０へ電荷の情報を送信するための第１の出力部１５７ｂのほかに、単色奇数用アナログシフトレジスタ１５７の中央部に第２の出力部１５７ｃを備えている。
【００５３】
本第３の実施の形態における読取制御因子は単色アナログシフトレジスタの出力部であり、読取制御因子の数値は単色アナログシフトレジスタの出力部数を意味している。また、本第３の実施の形態における読取制御因子は単色アナログシフトレジスタの転送ＣＬＫの入力部でもあり、読取制御因子の数値は転送ＣＬＫの入力部の数を意味している。
【００５４】
この構成により例えば有効画素数が７５００画素とした場合に、単色奇数用アナログシフトレジスタの第１の出力部１５７ｂからは第１番目の画素から第３７４９番目までの奇数の画素の電荷情報がＣＣＤセンサ制御回路１６０に転送され、単色偶数用アナログシフトレジスタの第１の出力部１５８ｂからは第２番目の画素から第３７５０番目までの奇数の画素の電荷情報がＣＣＤセンサ制御回路１６０に転送され、単色奇数用アナログシフトレジスタの第２の出力部１５７ｃからは第３７５１番目の画素から第７４９９番目までの奇数の画素の電荷情報がＣＣＤセンサ制御回路１６０に転送され、単色偶数用アナログシフトレジスタの第２の出力部１５８ｃからは第３７５２番目の画素から第７５００番目までの奇数の画素の電荷情報がＣＣＤセンサ制御回路１６０に転送される。
【００５５】
出力タイミングは単色奇数用アナログシフトレジスタの第１の出力部１５７ｂから第１番目の画素の電荷情報と、単色偶数用アナログシフトレジスタの第１の出力部１５８ｂから第２番目の画素の電荷情報と、単色奇数用アナログシフトレジスタの第２の出力部１５７ｃから第３７５１番目の画素の電荷情報と、単色偶数用アナログシフトレジスタの第２の出力部１５８ｃから第３７５２番目の画素の電荷情報が同時にＣＣＤセンサ制御回路１６０に転送される。以下同様に例えば第３番目の画素と第４番目と第３７５３番目の画素と第３７５４番目の画素が同時であり、また、例えば第３７４９番目と第３７５０と第７４９９番目と第７５００番目の画素が同時にＣＣＤセンサ制御回路に転送される。単色奇数用アナログシフトレジスタの第１の出力部１５７ｂと単色偶数用アナログシフトレジスタの第１の出力部１５８ｂと単色奇数用アナログシフトレジスタの第２の出力部１５７ｃと単色偶数用アナログシフトレジスタの第２の出力部１５８ｃとから出力される対象画素の順番は小さな序数からＣＣＤセンサ制御回路に転送される。
【００５６】
このようにして各単色アナログシフトレジスタの各出力部からはそれぞれ１８７５画素分の電荷情報が出力される。赤色光電変換素子ユニット１２０と緑色光電変換素子ユニット１３０と青色光電変換素子ユニット１４０のそれぞれの唯一の出力部からは７５００画素づつ出力されており、単色光電変換素子ユニット１５０の各出力部の４倍の画素数の電荷情報をＣＣＤセンサ制御回路１６０に送っている。したがって単色光電変換素子ユニット１５０では単色転送ＣＬＫ１及び単色転送ＣＬＫ２の周期がカラー読取とモノクロ読取で同一にした場合、モノクロ読取時は１ライン光蓄積時間をカラー読取時と比較して４倍にしても、確実に前ライン全画素の電荷情報をＣＣＤセンサ制御回路に転送することが出来る。勿論１ライン蓄積時間内に、各光電変換素子での蓄電は十分になされている。
【００５７】
尚、第３の実施の形態のフローチャートは第２の実施の形態と同様となるため図示及び説明を省略する。
【００５８】
第３の実施の形態の構成によって、転送クロックの周期がカラー読取の場合と同一であってもカラー読取よりモノクロ読取の方が高速で読取可能になるとともに確実に前ライン全画素の電荷情報をＣＣＤセンサ制御回路に転送することが出来る。尚、本第３の実施の形態ではＣＣＤセンサ制御回路に転送される各画素の電荷情報は各出力部から出力される対象画素の順番は小さな序数からＣＣＤセンサ制御回路に転送されるので後処理において画素の順番を調整する必要がない利点を有する。
【００５９】
（第４の実施の形態）
【００６０】
次に第４の実施の形態について説明をする。画像入力装置の電気的ブロック図は第１の実施の形態と同様であるので説明を省略する。図９は本第４の実施の形態におけるＣＣＤセンサの内部回路の一部を詳細に説明をした図を示す。
【００６１】
ＣＣＤセンサ１１０は赤色光電変換素子ユニット１２０、緑色光電変換素子ユニット１３０、青色光電変換素子ユニット１４０、単色光電変換素子ユニット１５０の大きく４つのユニットから構成されている。赤色光電変換素子ユニット１２０、緑色光電変換素子ユニット１３０、青色光電変換素子ユニット１４０は第１の実施の形態と同様であるので説明を省略する。
【００６２】
図９は単色光電変換素子ユニット１５０の詳細回路図である。図９において第２の実施の形態の図５と同一の部分については同一符号を付して説明を省略する。第２の実施の形態と異なる部分は、単色奇数用アナログシフトレジスタ１５７及び単色偶数用アナログシフトレジスタ１５８からの出力部が二つ備えている点と、転送ＣＬＫ１及び転送ＣＬＫ２の入力部の位置が異なっている点である。また、第３の実施の形態の図８と異なる点は各アナログシフトレジスタの出力部が両端に設けられている点である。すなわち、単色奇数用アナログシフトレジスタ１５７の他端側にはＣＣＤ制御回路１６０へ電荷の情報を送信するための第１の出力部１５７ｂのほかに、単色奇数用アナログシフトレジスタ１５７の一端側に第２の出力部１５７ｃを備えているとともに、転送ＣＬＫ１及び転送ＣＬＫ２を受け入れる入力部１５７ｄを備えている。
【００６３】
本第４の実施の形態における読取制御因子は単色アナログシフトレジスタの出力部であり、読取制御因子の数値は単色アナログシフトレジスタ出力部数を意味している。また、本第３の実施の形態における読取制御因子は単色アナログシフトレジスタの転送ＣＬＫの入力部でもあり、読取制御因子の数値は転送ＣＬＫの入力部の数を意味している。
【００６４】
この構成により例えば有効画素数が７５００画素とした場合に、単色奇数用アナログシフトレジスタの第１の出力部１５７ｂからは第１番目の画素から第３７４９番目までの奇数の画素の電荷情報がＣＣＤセンサ制御回路１６０に転送され、単色偶数用アナログシフトレジスタの第１の出力部１５８ｂからは第２番目の画素から第３７５０番目までの奇数の画素の電荷情報がＣＣＤセンサ制御回路１６０に転送され、単色奇数用アナログシフトレジスタの第２の出力部１５７ｃからは第３７５１番目の画素から第７４９９番目までの奇数の画素の電荷情報がＣＣＤセンサ制御回路１６０に転送され、単色偶数用アナログシフトレジスタの第２の出力部１５８ｃからは第３７５２番目の画素から第７５００番目までの奇数の画素の電荷情報がＣＣＤセンサ制御回路１６０に転送される。
【００６５】
出力タイミングは単色奇数用アナログシフトレジスタの第１の出力部１５７ｂから第１番目の画素の電荷情報と、単色偶数用アナログシフトレジスタの第１の出力部１５８ｂから第２番目の画素の電荷情報と、単色奇数用アナログシフトレジスタの第２の出力部１５７ｃから第７４９９番目の画素の電荷情報と、単色偶数用アナログシフトレジスタの第２の出力部１５８ｃから第７５００番目の画素の電荷情報が同時にＣＣＤセンサ制御回路１６０に転送される。以下同様に例えば第３番目の画素と第４番目と第７４９７番目の画素と第７４９８番目の画素が同時であり、また、例えば第３７４９番目と第３７５０と第３７５１番目と第３７５２番目の画素が同時にＣＣＤセンサ制御回路に転送される。単色奇数用アナログシフトレジスタの第１の出力部１５７ｂと単色偶数用アナログシフトレジスタの第１の出力部１５８ｂとから出力される対象画素の順番は小さな序数からＣＣＤセンサ制御回路１６０に転送されが、単色奇数用アナログシフトレジスタの第２の出力部１５７ｃと単色偶数用アナログシフトレジスタの第２の出力部１５８ｃとから出力される対象画素の順番は大きな序数からＣＣＤセンサ制御回路に転送される。したがって、単色光電変換素子ユニット１５０からの出力順番では画像が処理できないため、画像処理部１９７で単色奇数用アナログシフトレジスタの第２の出力部１５７ｃ及び単色偶数用アナログシフトレジスタの第２の出力部１５８ｃから出力された各画素の順番を序数の小さい順に並べ替える画素順番並び替え手段を有している。
【００６６】
このようにして各単色アナログシフトレジスタの各出力部からはそれぞれ１８７５画素分の電荷情報が出力される。赤色光電変換素子ユニット１２０と緑色光電変換素子ユニット１３０と青色光電変換素子ユニット１４０のそれぞれの唯一の出力部からは７５００画素づつ出力されており、単色光電変換素子ユニット１５０の各出力部の４倍の画素数の電荷情報をＣＣＤセンサ制御回路１６０に送っている。したがって単色光電変換素子ユニット１５０では転送ＣＬＫ１及び転送ＣＬＫ２の周期がカラー読取とモノクロ読取で同一にした場合、モノクロ読取時は１ライン光蓄積時間をカラー読取時と比較して４倍にしても、確実に前ライン全画素の電荷情報をＣＣＤセンサ制御回路に転送することが出来る。勿論１ライン蓄積時間内に、各光電変換素子での蓄電は十分になされている。
【００６７】
尚、第４の実施の形態のフローチャートは第２の実施の形態と同様となるため図示及び説明を省略する。
【００６８】
第４の実施の形態の構成によって、転送クロックの周期がカラー読取の場合と同一であってもカラー読取よりモノクロ読取の方が高速で読取可能になるとともに確実に前ライン全画素の電荷情報をＣＣＤセンサ制御回路に転送することが出来る。尚、本第４の実施の形態ではＣＣＤセンサ制御回路１６０に転送される各画素の電荷情報は単色奇数用アナログシフトレジスタ１５７ａ及び単色偶数用アナログシフトレジスタ１５８ａの両端に出力部を設けているので、信号線の接続が第３の実施の形態に比べて容易である利点を有する。
【００６９】
その他、第１の光電変換素子ユニットを用いて読取を行う場合に光源からの光情報の進行方向に対して第１の光電変換素子ユニットの前後に少なくとも一方で光情報を調整する非時関係の調整手段を設けて、有色フィルタを設けたことによる調整を行う構成を画像入力装置に用いても良い。具体的には、第１の光電変換素子ユニットで読取る場合に光源の光量を増すために光源を複数点灯させ第２の光電変換素子ユニットで読取る場合は光源を１つで行なったり、ＣＣＤセンサ制御回路内に第１の光電変換素子ユニットからの光情報の増幅率を第２の光電変換素子からの光情報の増幅率より大きく設定させても良い。さらに今まで説明した構成を適宜組み合わせることであっても良い。
【００７０】
（第５の実施の形態）
【００７１】
第５の実施の形態では本発明を画像形成装置に応用した場合について説明をする。第５の実施の形態では画像形成装置として電子写真技術を用いて複写機能を有する複合機を想定して説明をする。図１０は本発明の第５の実施の形態にかかる電気的ブロック図である。図１に示したものは同じ符号を付して説明を省略する。
【００７２】
ＣＰＵ１０１はバスライン１０４を介して、ＣＣＤセンサ１１０で読取った情報に基づいて駆動される光走査装置２１１を制御する光走査装置制御回路２１２と、各種プロセス２２１の制御をする各種プロセス制御回路２２２と、紙葉上に転写されたトナーを熱によって定着する定着器２３１を制御する定着器制御回路２３２と、紙葉を搬送する用紙搬送モータ２３３を制御する用紙搬送制御回路２３４などが接続されている。各種プロセス２２１とは帯電装置、現像装置、転写装置などの総称として用いているが、これらの部分は周知の技術であるので説明を省略する。また、図１０において破線で示した分は画像形成部２００に相当する。この画像形成部は黒色トナーを含む黒色画像形成ユニットとカラー画像を形成する黒色とは異なるイエロー、マゼンダ、シアンの３色の有色画像形成ユニットを備えていればどの様な形式であってもよい。
【００７３】
本第５の実施の形態に関するフローチャートを図１１用いて説明をする。尚、画像入力部分に関しては第１の実施の形態乃至第４の実施の形態の何れを用いてもよいが代表例として画像入力部分については第２の実施の形態を用いることとする。ＳＴ３１乃至ＳＴ３６は第１の実施の形態のＳＴ１１乃至ＳＴ１６と同様になるので説明を省略する。ＳＴ３５で読取（入力）された情報は画像形成部によって搬送されてくる紙葉に画像を転写させる。このとき読取られた画像はカラーか否かを判断する（ＳＴ３７）。読取られた画像がカラーであったならば（ＳＴ３７のＹ）、有色画像形成ユニット及び黒色画像形成ユニットを駆動させてカラー画像を形成させて紙葉に画像を転写させる（ＳＴ３８）。また、読取られた画像がカラーではないすなわち単色と判断されたならば（ＳＹ３７にＮ）、黒色画像形成ユニットのみを駆動させて黒色画像を形成させて紙葉に画像を転写させる（ＳＴ３９）。ＳＴ３８またはＳＴ３９で紙葉に転写された画像は定着器２３１へ搬送され画像が定着され画像形成装置の外部に搬送される。
【００７４】
本第５の実施の形態では単色読取と判断された場合には黒色で画像形成すると説明をしたがこれに限定されることはない。オペレータによって画像形成する際の出力の色を選択する釦（画像形成色指定手段）をキーパネル１８３上に設けてもよくその入力に基づいて黒色とは異なる有色画像形成ユニットの指定の色一色によって画像形成をするようにしてもよい。尚、画像形成色指定手段に黒色で画像出力を選択する選択釦を設けてもよい。
【００７５】
尚、第５の画像形成装置の画像形成２００については電子写真方式を用いて説明をしたが、画像形成部は電子写真方式に限らずインクジェット方式やサーマル方式であってもよい。また、画像形成部は黒色と黒色とは異なる複数の有色の画像形成ユニットを備えたものであれば尚望ましい。また、第２の読取手段で読取を用いて読取った場合は、第１の読取手段で読取った場合に比べて画像形成装置２００で出力する速度を早くする制御を盛り込み、高速画像形成出力を実現させても良い。
【００７６】
【発明の効果】
請求項１記載の発明によれば、１ライン蓄積時間とは異なる読取制御因子を第１の読取手段とは異なる数値を用いて制御するので、第２の読取手段で読取った場合第１の読取手段よりも高速で読取れるとともに確実に全画素をＣＣＤセンサの外部に送信させる効果を有する。
【００７７】
請求項３記載の発明によれば、転送クロックの周期を第１の読取手段で読取る場合より短くしているので、第２の読取手段で読取った場合第１の読取手段よりも高速で読取れるとともに確実に全画素をＣＣＤセンサの外部に送信させる効果を有する。
【００７８】
請求項４記載の発明によれば、単色光電変換素子ユニットの接続部は他のユニットより多くの数でＣＣＤセンサの外部とつながっているので、第２の読取手段で読取った場合第１の読取手段よりも高速で読取れるとともに確実に全画素をＣＣＤセンサの外部に送信させる効果を有する
【図面の簡単な説明】
【図１】本発明の第１の実施の形態における画像入力装置の電気的ブロック図を示す図である。
【図２】本発明の第１の実施の形態におけるＣＣＤセンサの回路を示す図である。
【図３】本発明の第１の実施の形態における読取タイミングを示す図である。
【図４】本発明の第１の実施の形態におけるフローチャートである。
【図５】本発明の第２の実施の形態におけるＣＣＤセンサの一部回路を示す図である。
【図６】本発明の第２の実施の形態における読取タイミングを示す図である。
【図７】本発明の第２の実施の形態におけるフローチャートである。
【図８】本発明の第３の実施の形態におけるＣＣＤセンサの一部回路を示す図である。
【図９】本発明の第４の実施の形態におけるＣＣＤセンサの一部回路を示す図である。
【図１０】本発明の第５の実施の形態における画像形成装置の電気的ブロック図を示す図である。
【図１１】本発明の第５の実施の形態におけるフローチャートである。
【符号の説明】
１１０・・・ＣＣＤセンサ
１２０・・・赤色光電変換素子ユニット（第１の読取手段）
１２１・・・赤色光電変換素子列（第１の光電変換素子列）
１３０・・・緑色光電変換素子ユニット（第１の読取手段）
１３１・・・緑色光電変換素子列（第１の光電変換素子列）
１４０・・・青色光電変換素子ユニット（第１の読取手段）
１４１・・・青色光電変換素子列（第１の光電変換素子列）
１５０・・・単色光電変換素子ユニット（第２の読取手段）
１５１・・・単色光電変換素子列（第２の光電変換素子列）
１６０・・・ＣＣＤセンサ制御回路
１７１・・・光源
２００・・・画像形成部
【図１】
2004274231.tif 000003
【図２】
2004274231.tif 000004
【図３】
2004274231.tif 000005
【図４】
2004274231.tif 000006
【図５】
2004274231.tif 000007
【図６】
2004274231.tif 000008
【図７】
2004274231.tif 000009
【図８】
2004274231.tif 000010
【図９】
2004274231.tif 000011
【図１０】
2004274231.tif 000012
【図１１】
2004274231.tif 000013
【手続補正書】
【提出日】平成15年7月17日(2003.7.17)
【手続補正１】
【補正対象書類名】図面
【補正対象項目名】図２
【補正方法】変更
【補正の内容】
【図２】
2004274231.tif 000014
【手続補正２】
【補正対象書類名】図面
【補正対象項目名】図４
【補正方法】変更
【補正の内容】
【図４】
2004274231.tif 000015